(57)【特許請求の範囲】
【請求項１】
本体と、
前記本体に設けられる発光体と、    
前記本体の内部に前記発光体に近接して設置されるヒートシンクとからなり、
前記本体の前記ヒートシンクが設置される付近に、該ヒートシンクを介して向かい合った通気孔が設けられ、
前記ヒートシンクは空気が該ヒートシンクを横断する複数の空気流路を備え、
前記複数の空気流路をいずれも前記発光体の下に近接させ、空気が前記複数の空気流路を経て前記向かい合った通気孔の間を双方向に流通するように前記ヒートシンクを配置したペンライトの把持部。
【請求項２】
前記本体の前記ヒートシンクが設置される箇所周辺外側に外側カバーが設けられ、該外側カバーに前記本体に設けられた通気孔に対応する位置に通気孔が設けられ、該外側カバーの内側と前記本体との間に空気が流動するための空間を設けるものとした請求項１に記載のペンライトの把持部。
【請求項３】
前記外側カバーの表面に複数の溝が設けられた請求項２に記載のペンライトの把持部。
【請求項４】
前記外側カバーの通気孔の周囲に、凸状境界が形成された請求項２又は３に記載のペンライトの把持部。
【請求項５】
前記ヒートシンクに隣接し、該ヒートシンクと、別途設けられた電子回路基板との間に配置される補助部材を有し、該補助部材が複数の空気流路を有する請求項１〜４のいずれか一項に記載のペンライトの把持部。
【請求項６】
前記本体の側面に電池収納部を閉じるための蓋が設けられ、該蓋の一部を前記本体と共に保持する保持部を設けた請求項１〜５のいずれか一項に記載のペンライトの把持部。
【請求項７】
前記請求項１〜６のいずれか一項に記載のペンライトの把持部を用いたペンライト。
【発明の詳細な説明】
【技術分野】
【０００１】
本発明は、コンサートや各種イベントなど（以下、総称して「コンサート等」という）で主に観客や参加者が用いるペンライト、スティックライトなどの発光器具（以下、単に「ペンライト」と称する。本発明における「ペンライト」はかかる発光器具全般を指す。）に関する。
【背景技術】
【０００２】
ペンライトは、例えばコンサート等の会場で観客が手で持ち、発光・点灯させ、振って使用する。
【０００３】
ペンライトは、従来から、観客が自己をアピールしたり、コンサート等で大勢の観客が同じようにペンライトを用いて一体感を形成したりするために用いられている。当初は単色で発光するものであったが、近時においては、単に単色で有色発光するだけでなく、多色ペンライトやネオンのように点滅するペンライトなど、各コンサート等の企画、趣旨などに見合うような新たなペンライトが要請されており、また観客のペンライトに対するニーズも多様化している。
【０００４】
かかる新たなタイプのペンライトとして、今後、明るさを飛躍的に向上させ得る高出力・高輝度ペンライトの需要・ニーズが高まることが予想される。これは、従来のペンライトが例えば電源としていわゆるボタン電池を使用し、電流が２０ミリアンペア（ｍＡ）程度（明るさ０．０２３Ｗ程度）で、発光体としてＬＥＤを用いると発熱がほとんど生じなかった（発光体周辺がほとんど熱を帯びなかった）のに対し、電流量及び明るさを格段に増大させるもので、多いものでは例えば電源として単４型（形）電池を４本使用し、電流が６００ｍＡ程度（明るさ３Ｗ程度）で、発光体に高出力・高輝度に対応するＬＥＤを用いるといったものも考えられる。
【０００５】
このような高出力・高輝度のペンライトは、上記のように輝度（明るさ）ないし光量を格段に向上させることが可能となる。
【０００６】
しかしながら、これは、従来のペンライトとは異なり、電流の設定次第で短時間の発光でも発光体の温度は高まり、ある程度以上の時間発光させると、発光体は、（それが仮にＬＥＤであっても）非常に高い温度で発熱するようになる。例えば上記の高出力・高輝度ペンライトにおけるＬＥＤの場合、ＬＥＤ自体は条件によってはセ氏１５０度程度まで上昇することもあり得る。その結果、発光体周辺がかなりの高温となり、ペンライトの本体の外側まで高温となる。この場合、ペンライト自体の損傷のおそれが生じる。のみならず、ペンライトは通常手で持って使用され、しかも顔の近くで振られるものでもあるため、発光体が高温となるペンライトは、思わぬ事故により使用者が手や顔に火傷、温熱熱傷（人間の皮膚は４５度以上の温度で熱傷になり、４５度の場合約１時間、７０度の場合約１秒で組織の破壊が始まるとも言われている）等の怪我を負うようなことを回避できなければならず、これが実現できない限り、高出力・高輝度のペンライトへの需要者のニーズに応えることは困難である。
【０００７】
更に、近時は充電して繰り返し使用できる電池が普及し、ペンライトにおいてもこれを用いることができることが要請されるところ、このような充電式電池を用いる際は、その性質上通常の電池以上に高温を避けることが望まれる。そのため、充電式電池に対応した高出力・高輝度のペンライトにおいては、発光体周辺の高温化とその対策は、より一層重要な問題となる。
【０００８】
ペンライトについては、例えば発光色や輝度に変化をつけるための発明（特許文献１）や、発光体のスイッチ操作の利便性を向上させる発明（特許文献２）などが提案されているが、上記問題に対処するものはこれまで提案されていない。
【先行技術文献】
【特許文献】
【０００９】
【特許文献１】特開２００９−１７６６９７号
【特許文献２】特開２００９−００４２２４号
【発明の概要】
【発明が解決しようとする課題】
【００１０】
本発明は上記の問題を解決することを課題とする。より具体的には、本発明は、発光体の周辺の熱を放散することのできるペンライトの把持部及びこれを用いたペンライトを提供すること課題とする。
【課題を解決するための手段】
【００１１】
上記課題を解決するため、本発明の第１の側面として、本発明は、本体と、前記本体に設けられる発光体と、前記本体の内部に前記発光体に近接して設置されるヒートシンクとからなり、前記本体の前記ヒートシンクが設置される付近に、該ヒートシンクを介して向かい合った通気孔が設けられ、前記ヒートシンクは空気が該ヒートシンクを横断する空気流路を備え、空気が前記空気流路を経て前記向かい合った通気孔の間を双方向に流通するように前記ヒートシンクを配置したペンライトの把持部を提供する。
【００１２】
本発明の第２の側面として、本発明は、前記本体の前記ヒートシンクが設置される箇所周辺外側に外側カバーが設けられ、該外側カバーに前記本体に設けられた通気孔に対応する位置に通気孔が設けられた前記ペンライトの把持部を提供する。
【００１３】
本発明の第３の側面として、本発明は、前記本体の表面及び／又は前記外側カバーの表面に複数の溝が設けられた前記いずれかのペンライトの把持部を提供する。
【００１４】
本発明の第４の側面として、本発明は、前記本体の通気孔及び／又は前記外側カバーの通気孔の周囲に、凸状境界が形成された前記いずれかのペンライトの把持部を提供する。
【００１５】
本発明の第５の側面として、本発明は、前記ヒートシンクに隣接し、該ヒートシンクと、別途設けられた電子回路基板との間に配置される補助部材を有する前記いずれかのペンライトの把持部を提供する。
【００１６】
本発明の第６の側面として、本発明は、前記補助部材が空気流路を有する前記ペンライトの把持部を提供する。
【００１７】
本発明の第７の側面として、本発明は、前記本体の側面に電池収納部を閉じるための蓋が設けられ、該蓋の一部を前記本体と共に保持する保持部を設けた前記いずれかのペンライトの把持部を提供する。
【００１８】
本発明の第８の側面として、本発明は、前記いずれかのペンライトの把持部を用いたペンライトを提供する。
【発明の効果】
【００１９】
本発明によれば、ペンライト使用時に発生する空気の流れにより、発光体の周辺の熱を放散することができるとの効果を得ることができる。
【図面の簡単な説明】
【００２０】
【図１】本発明に係るペンライトの把持部の一実施例を示す図である。
【図２】図１に示したペンライトの把持部を反対の方向から示す図である。
【図３】本発明に係るペンライトの把持部を使用した時に生じ得る空気の流れを示す図である。
【図４】本発明に用いるヒートシンクの一例を示す図である。
【図５】本発明に用いるヒートシンクの他の一例を示す図である。
【図６】本発明の外側カバーの一例を示す図である。
【図７】図６に示した外側カバーを本体に取り付けた本発明のペンライトの把持部の一例を示す図である。
【図８】本発明の補助部材の一例を示す図である。
【図９】図８に示した補助部材を取り付ける場合の一例を示す図である。
【図１０】保持部を用いた本発明の把持部の一例を説明する図である。（ａ）は電池収納部１９の蓋２３を取り外した状態を示し、（ｂ）は蓋２３を閉じ保持部２５を本体２２に取り付ける前の状態を示し、（ｃ）は保持部２５を本体２２に取り付けた状態を示す。
【図１１】本発明のペンライトの把持部を用いたペンライトの一例を示す図である。
【図１２】発光体とヒートシンクの配置を示す図である。この図の示す例では、ＬＥＤ３とヒートシンク４の間に平板２８を設けるものとしている。
【図１３】外側カバーを把持部本体に取り付けた際に、外側カバーの内側において本体との間に空間を設けるように外側カバーを構成した一例で、この空間を説明するための図である。
【図１４】図７のペンライト把持部を、図７と別の方向（９０度ずらした方向）から示す図である。
【図１５】本発明の補助部材の他の一例を示す図である。
【図１６】図１５に示した補助部材を本体内部に取り付ける際の配置の一例を正面側から示す図である。
【発明を実施するための形態】
【００２１】
以下、本発明のペンライトの把持部及びこれを用いたペンライトに係る実施形態を、図面を参照しながら具体的に説明する。
【００２２】
（実施例１）
図１は本発明のペンライトの把持部の一実施例を示すものである。本発明のペンライトの把持部１は、本体２と、本体に設けられる発光体３と、本体に設けられるヒートシンク４とから構成されている。本体は、通常要求される強度を要するものであれば、プラスチックなどの素材でよい。本体には、別途、発光体の発光機能を処理する電子回路基板や電池を収納する電池収納部などを設けることができる。
【００２３】
発光体３として、本実施例では高出力・高輝度に対応できるＬＥＤ（以下、本実施例においては単に「ＬＥＤ３」という。）を使用する。ただし、本発明における発光体は必ずしもこれに限られず、ペンライトの使用上放熱手段が必要となる程度に高温となるものが含まれる。本実施例において、本体２の上部にＬＥＤ３を設ける。ＬＥＤ３は本体２の内部に位置してもよく、図１に示すように本体２の上部の外側に位置するように設けても良い。なお、当業者に自明のとおり、ＬＥＤ周辺にはレンズ等が設けられる。
【００２４】
ペンライト使用時は、一例として図１１に示すように、通常、把持部の上部にＬＥＤを覆うようにして棒状その他の形状のカバー２６を取り付けて発光部として使用される。すなわち、ペンライトは把持部と発光部から構成されることとなる。図１１では、ペンライト２７は、図７の把持部１１と発光部２６とから構成されている。なお、一般に、上記カバーは、同一規格であれば取替可能である。
【００２５】
本発明においては、更に、把持部１の本体２の内部に、放熱を促進するための手段を設ける。
【００２６】
前述のとおり、従来のペンライトは、輝度・光量との関係からも発光体がほぼ発熱しない。例えば、電源にボタン電池（ＬＲ４４型）を４個程度使用し、電流が２０ミリアンペア（ｍＡ）程度（明るさ０．０２３Ｗ程度）のものは、２０分程度発光させても、発光体（ＬＥＤ）に熱はほぼ生じない。そのため、ペンライト自体が熱により損傷する等の問題は生じず、従来のペンライトにおいては、放熱について特別の手段は講じられていない。
【００２７】
本発明においては、発光体の熱量が格段に増すペンライトの放熱を促進するため、把持部１の本体２の内部にヒートシンク４（放熱器、放熱板）を設置する。
【００２８】
ここで、ヒートシンクは、それ自体放熱の機能を有するものであるが、高出力のペンライトなどは発光体の温度が条件によってはセ氏１５０度程度にまで上昇することもあり得る。そのため、単にヒートシンクを用いるということだけでは、必ずしも十分な放熱効果が得られない。
【００２９】
そこで、本発明においては、まず、放熱をより促進させるため表面積をある程度広く確保できるようにヒートシンクを構成する。
【００３０】
次に、ヒートシンクはＬＥＤに近接して設ける。ここで近接とは、ヒートシンクとＬＥＤを直接接触させるようにして設ける場合のほか、ヒートシンクとＬＥＤの間に、平板又はシートを設けるような場合も含む。この場合、平板又はシートをアルミニウム製とすると放熱促進の点で好適である。図１２において、ＬＥＤ３とヒートシンク４の間にアルミニウム製の平板２８を設けた例を示す。
【００３１】
更に、本発明においては、本体に通気孔を設ける。しかしながら、本体に通気孔を設けても、必ずしも十分な放熱効果を得られるとは限らない。孔の大きさや位置によっては、ほとんど放熱に影響を与えないこともあり得る。一方、ペンライトに通気孔を設けることには、例えば、本体表面積において通気孔が占める面積を多くとり過ぎると、本体の強度が保てなくなりペンライト使用時や落下時の破損のおそれが高まるなどの危険がある。
【００３２】
ここで、本発明においては、ペンライトの使用時に生じる空気の流れを利用し、これによりヒートシンクの機能を格段に発揮させ、効率的に放熱するものとする。ヒートシンクもこれに適した形状とする。そして、通気孔は上記観点から本体に設ける。
【００３３】
すなわち、把持部の本体に設けられた通気孔（後述）の間を双方向に空気が効率よく流通でき、かつヒートシンクのより多くの表面を空気が流通できるようにするとの観点から、本発明のヒートシンクを、空気が該ヒートシンクを横断して流通できる通路（空気流路）を備えるように構成する。ここで横断する方向とは、本体に設けられた向かい合った通気孔の間に位置するように本体にヒートシンクを設置した際に、通気孔から通気孔に向けた双方向（ペンライト長手方向を横切る方向）にあたる向きである。これは、例えば平板を基板とするヒートシンク（平板上に突起物が形成されているもの）においては、通常、平板の面に沿った方向であり、図４においては、示された図における上下方向ではなく、手前側から反対側へ向けた方向を指す。図５においても、上下方向ではなく、平板の面に沿った方向を指す。
【００３４】
本実施例のヒートシンク４は、上記観点から、図４に示すように平板に複数のフィン５が並列して設けられるように構成した。これによれば、フィン５と他のフィン５の間に空気流路６が設けられることとなる。なお、ヒートシンクの配置の仕方については後述する。
【００３５】
上記観点から、ヒートシンクは、例えば図５に示すような剣山状に構成し、各突起５０の間に空気流路６０が設けられるように構成してもよい。
【００３６】
ヒートシンクのサイズ、フィンや突起の高さなどは適宜選択することができる。
【００３７】
なお、本体に設けられた向かい合った通気孔間の双方向の空気の流通を妨げる形状のヒートシンク（例えば中心に太い芯を有することにより、空気の流通を妨げるものなど）は、本発明のヒートシンクとしては適さないこととなる。
【００３８】
本実施例において、ヒートシンク４は放熱機能の高さと重量の軽さからアルミニウム製としたが、ヒートシンクの素材は必ずしもこれに限られず、樹脂製その他、所望のものを選択することができる。
【００３９】
更に、本発明においては、本体２のヒートシンク４が設置される付近に、このヒートシンク４を介して向かい合うようにして通気孔７が設けられる（図１の７ａ及び図２の７ｂ参照。なお、図２は、図１の把持部１を背面側から示している）。すなわち、本体２には向かい合った少なくとも２つの通気孔が設けられ、これらの間に、ヒートシンク４が設置される。
【００４０】
ペンライトは、通常、手で持ちつつ、上下、前後、左右等に振りながら使用される。この時、ペンライト（ないしペンライトの把持部）を振る方向に空気の流れが自然と生じている。本発明はかかる空気の流れを利用する。すなわち、本発明によれば、ペンライトを一方向に振る際に上記の向かい合った通気孔の主として一方から空気が入り込み、ヒートシンクを経て向かい側の他方の通気孔へと抜けるものとなる。また逆向きにペンライトを振る際には主として他方の通気孔から空気が入り込むこととなり、ペンライトを振るたびにこれが繰り返されることとなる。図３はこれらの空気の流れを示している。これにより、例えば別途空気の流れを創出するためのファンなどを設けることなく、ヒートシンクの放熱機能を飛躍的に高めることができる。つまり、ペンライトをある程度の時間継続して高出力で点灯させても、ファンなどの追加部品を要さずに発光体やその周辺などが高温となることを防ぐことができる。
【００４１】
上記の点から、ヒートシンクは、空気が空気流路を経て前記向かい合った通気孔の間を双方向に流通し、かつヒートシンクのより多くの表面を空気が流通できるように配置する。例えば本実施例のヒートシンク４（図４）の場合、並列して設けられた複数のフィン５の長手方向の両側（図４において示される図の手前側と向こう側）にそれぞれ通気孔７ａ、７ｂが位置するように配置する。これにより、フィン５によって形成された空気流路を空気が通り抜け、ヒートシンク４の放熱機能を高めるものとなる。換言すれば、通気孔から空気が入るのを妨げるように配置したり、ヒートシンク４の表面を十分に空気が通過できないように配置したりしないようにする。
【００４２】
上記の空気の流通が達せられるものであれば、通気孔７ａと通気孔７ｂは、必ずしも厳密に対称の位置関係になくてもよく、また必ずしも同じ形状どうしでなくてもよい。
【００４３】
また、一方側及び／又は他方側の通気孔の個数は、それぞれ１つのみでなくてもよく、図１の７ｃ、図２の７ｄのように、通気孔７ａと通気孔７ｂのほかにも設けてもよく、これらを複数としても良い。複数の通気孔を設ける場合、一方側と他方側の通気孔の個数は同数でなくても良い。ただし、通気孔の個数に関わらず、本体表面積において通気孔が占める面積を多くとりすぎると、本体の強度が保てなくなり、ペンライト使用時や落下時の破損のおそれが高まる。また、通気孔を大きくすると、高温のヒートシンク等に手が触れて火傷するおそれも高まる。そこで、通気孔７ａ、７ｂを比較的大きめにした場合、後述の外側カバーについて図示するものと同様に、例えば通気孔７ａ、７ｂに格子状の部材などを設けるものとしてもよい。
【００４４】
本発明のペンライトは、ペンライトを振る方向に通気孔が向くようにして使用する（振る）と、本体内のヒートシンク周辺により空気を取り込むことができ、放熱効果が得られて好適である。一般にペンライトの把持部は円筒形であるが、本発明においては、把持部の本体に外側をなだらかに窪ませるなど、主に握る部分の形状に変化を付けるのが好ましい。この場合、本体外側を、１乃至数か所、特定形状のなだらかな窪みを設けるのがより好適である。本実施例においては、かかる窪みとして、図に示すように、本体に、縦長楕円形部分８を４か所設け、なだらかに窪ませるものとした。なおこの縦長楕円形は、より長方形に近いものなど、適宜選択できる。この窪みによると、使用者が通気孔７の位置（向き）を確認し易くすることができる。また、これにより把持部１が手にフィットし易くなるため、一度定まった通気孔の位置（向き）が保たれ易くなる。更に、単なる円筒形でなく、把持部の形状にこのように形状に変化を付けることは、握り易さや滑りにくさの点でも有利である。ペンライトは長時間使用することも多いところ、把持部がある程度太い場合、ほぼ単なる円筒形のものを長時間握ると疲れやすくなりがちであるため、把持部を上記のような形状とすることはより一層有利となる。
【００４５】
（実施例２）
実施例１によれば放熱効果を得ることができるが、高出力で発光を続けると、ペンライトの把持部１、特に本体２の外側の通気孔７の周辺は、ある程度の熱を帯びざるを得ない。そこで、本発明のペンライトにつき、本体の、ヒートシンクが設置される箇所周辺外側に外側カバーを設け、この外側カバーにも通気孔を設けるようにすると好適である。外側カバーの通気孔は、前記の本体に設けられた通気孔でヒートシンクを介して向かい合ったもの（例えば、図１と図２に示す例の７ａと７ｂ）に対応する位置に設け、本体に設けられた通気孔の空気の流れを阻害しないように構成する。ただし、形状や大きさ等は同一でなくてもよい。
【００４６】
更に、外側カバーには、上記通気孔に加え、他の通気孔を設けてもよい。この場合、例えば本体に７ｃ（図１）や７ｄ（図２）のような通気孔が設けられている場合、これらに対応するようにして外側カバーに通気孔を設けるのが好ましい。ただし、形状や大きさ等は同一でなくてもよい。この外側カバーの一例を図６に示す。この図では、外側カバー９に、図１の通気孔７ａに対応する通気孔を、通気孔１０ａとして設けている。同様に、図２の通気孔７ｂに対応する通気孔を、外側カバー９に設けている（背面側、図１０（ａ）の１０ｂ参照）。また、図１の通気孔７ｃに対応する通気孔を、通気孔１０ｃとして設けている。同様に、図２の通気孔７ｄに対応する通気孔を、外側カバー９に設けている（背面側、図１０（ａ）の１０ｄ参照）。
【００４７】
図６では、外側カバー９を上部（通気孔１０ａが位置する側）と下部（通気孔１０ｃが位置する側）に分けるように構成したものを図示しているが、外側カバーはこのように複数の部分に分けて構成しなくてもよい。
【００４８】
外側カバー９を本体２に装着した状態のペンライトの把持部１１の一例を図７に示す。
【００４９】
外側カバー９を設けることより、手に触れる可能性のある部分の温度を更に下げることができるので、熱火傷等のおそれを減らすこともできる。特に、万一ショートするなどしてＬＥＤやヒートシンクなどが超高温に発熱しても、火傷等を回避することができる。また、仮にペンライトを落とし部品が破損するような場合でも、外側カバー９が設けられていることにより、高温になったＬＥＤやヒートシンクが周囲に飛び散ることを防ぐことができる。
【００５０】
外側カバーを本体に取り付けた際に外側カバーの内側と本体との間に空気が流動する空間を設けるように外側カバーを構成すると好適である。図１３に、外側カバー９と本体２の間に空間（空間１２）が設けられるように構成した一例（外側カバーの内部の図）を示す。これによれば、この空間をも空気が流通し得るため、放熱効果が更に得られる。
【００５１】
外側カバーと本体は、例えばねじ込み式として取外し自在にすることができる。
【００５２】
本体の表面や外側カバーの表面に複数の溝が設けると、手に触れる面積が少なくなる反面、空気に触れる表面積が増すため、更なる放熱効果を得ることができるので更に好適である。また、手に触れる部分の温度を下げることができるので、火傷のおそれをなお一層減らすこともできる。図７において、外側カバー９の溝の一例として溝１３を図示している。本体２においても、同様に、例えば図１の通気孔７ｃや７ｄの横に溝を設けてもよい。
【００５３】
本体の通気孔や外側カバーの通気孔は、手に触れた際の危険がより大きい。そこで、使用者にこの部分に触れないよう促すため、本体の通気孔や外側カバーの通気孔の周囲を一段高くして凸状境界を形成し、通気孔の存在を知らせるための印としてもよい。図１４は、ペンライト把持部１１を、図７とは別の方向（９０度ずらした方向）から図示し、凸状境界の一例（凸状境界１４）を示すものである。
【００５４】
いずれも電流を６００ｍＡ程度（明るさ３Ｗ程度）とした下記ペンライトの把持部を、室温セ氏１９．５度の無風の環境で２０分程度発光させたまま放置した。
１．  発光体３、アルミニウム製平板２８、通気孔７ａ・７ｂ・７ｃ・７ｄ、縦長楕円形部分８を有し、ヒートシンクを有しない本体を用いたペンライトの把持部（図１に示すペンライト把持部において、ヒートシンク４を有しないもの。比較例。）。
２．  発光体３、アルミニウム製平板２８、通気孔７ａ・７ｂ・７ｃ・７ｄ、縦長楕円形部分８、ヒートシンク４（図４に示すもの）を有する本体を用い、かつ、図７に示す外側カバー９で、図１３に示す空間１２を有するものを設けたペンライトの把持部（本発明に係るもの）。
【００５５】
その後、発光体周辺として、アルミニウム製平板２８の温度を計測したところ、以下の結果が得られた。
上記１：  セ氏１１５．３度
上記２：    セ氏７０．３度
【００５６】
また、通気孔７ａ付近の温度を計測したところ、以下の結果が得られた。
上記１：    セ氏８８．２度
上記２：    セ氏５８．６度
【００５７】
上記２のペンライトの把持部については、外側カバーの通気孔１０ａ付近の温度を計測したところ、セ氏３９．１度であった。
【００５８】
次に、各把持部を手に持ち、３０秒程度左右に振ってから、通気孔７ａ付近の温度を測定したところ、以下の結果が得られた。
上記１：    セ氏６２．８度
上記２：    セ氏３７．３度  
【００５９】
上記２のペンライトの把持部については、外側カバーの通気孔１０ａ付近の温度を計測したところ、セ氏２８．７度であった。
【００６０】
なお、上記１の把持部において通気孔７ａ・７ｂ・７ｃ・７ｄを有しないものについても用意したが、発光体が高温となり過ぎ、１２６．８度となった時点で計測困難のため計測を中止した。
【００６１】
以上から明らかなとおり、本発明によれば、把持部を振る以前にある程度の放熱効果が得られることが認められるほか、振った後には顕著な放熱効果が認められた。
【００６２】
（実施例３）
本体内部に、発光体の発光を制御するための電子回路基板（コンピュータ基板）が別途設けられることが少なくない。この基板は熱に弱いため、例えばヒートシンクとの間に若干の距離（空間）を設けても、熱により破損するおそれもある。
【００６３】
そこで、ヒートシンクに隣接し、このヒートシンクと上記基板との間に補助部材を配置するようにすると好適である。
【００６４】
図８に、かかる補助部材の一例を示す。補助部材１５は、空気流路１６を有するように構成すると、ここでも放熱効果を得られるためより一層好ましい。本実施例においては、補助部材の基部を平板とし、この平板の数か所に上下に貫通する孔１７を設け、基部（図では基部の下側）に、実施例１のヒートシンクと同様に複数のフィン１８を並列して設けるものとした。
【００６５】
図１５に、図８と異なる形状の補助部材の一例を示す。この例においては、補助部材２９の基部の上部（フィン３２を設けたのと反対側）に柱３３を設けている。この柱３３は２本を一対とし、一対の柱がヒートシンクのフィンの一つを挟み込むものとする。このとき、一対の柱どうしの間隔を、一つのフィンの幅よりも若干狭くするなどして、柱とフィンの結合状態が保たれ易くするとより好適である。なお、柱３３は必ずしも２本・一対でフィンを挟み込む構成としなくてもよく、例えば１本の柱とし、中央に縦方向（垂直方向）に切れ込みを入れ、この切れ込みにフィンが入り込む（切れ込みの部分でフィンを挟み込む）ようにするなど、種々の構成が考えられる。
【００６６】
図１５に示した補助部材２９をヒートシンクに取付けた状態を図１６に示す。図に示されるとおり、一対の柱３３がヒートシンク３４のフィン３２の一つを挟み込むようにして、補助部材２９をヒートシンク３４に取付けると、補助部材２９がヒートシンク３４を安定して支えるものとなる。
【００６７】
ここで、補助部材２９の基部の一部に出っ張り（出っ張り部３５）を設け、本体の内側（図１６では図示せず）に、この出っ張り部３５を受ける支持部３６を設け、補助部材２９（の基部）が支持部３６により支えられるように構成する。そうすると、ヒートシンク３４は補助部材２９に支えられているので、ヒートシンク３４自体が本体（の内側）によって支えられることを要しないものとなる。よって、ヒートシンク３４の大きさを本体の内側に接触しない大きさとすることができる。
【００６８】
これによれば、ヒートシンク３４の周りと本体内側の間にも空気が流通できる空間を創出することができるため、ヒートシンクの横側からも放熱が期待できる。また、補助部材２９の孔３１からも空気が流通し、フィン３２を設けることで放熱効果を得るようにしているので、ヒートシンクの下側からの放熱も期待できる。本体に通気孔７ｃ、７ｄを設けたり、外側カバーに通気孔１０ｃ、１０ｄを設けたりすれば、これらの通気孔を通じて空気（外気）が流通することも可能となる。
【００６９】
なお、フィン１８の代わりに図５に示すような複数の突起とし、剣山状としてもよい。また、出っ張り部３５が設けられる位置は図示のもの（図１５、図１６では補助部材２９の左右）に限定されず、例えば補助部材の前後に設けてもよい。補助部材のサイズ、フィンや突起の高さなどは適宜選択することができる。
【００７０】
補助部材は、例えば樹脂製とすることができるが（熱伝導による放熱効果を期待できる）、これに限られず、所望のものを選択することができる。
【００７１】
本実施例においては、図９に示すように、補助部材１５はヒートシンク４の真下に位置し、その下に電子回路基板２０が位置するように配置した。補助部材は、電子回路基板に接しなくてもよい。
【００７２】
（実施例４）
例えば誤ってペンライトを落下させた場合、前記のように内部に設けられたヒートシンク等が飛び散ることは外側カバーにより防ぐことが可能となるが、更に、本体内部に収納された電池が外に飛び散ることを防ぐ必要もある。特に、高出力・高輝度のペンライトの場合、ボタン電池ではなく、例えばより重量のある単４形電池などを使用するため、これが飛び散ると危険である。
【００７３】
この問題を解決するため、本実施例では、図１０において段階的に（ａ）（ｂ）（ｃ）で示すように、把持部２１の本体の側面に電池収納部１９を閉じるための蓋２３を設け、この蓋の一部２４を本体２２と共に保持する保持部２５を設けるように構成した。
【００７４】
この保持部２５は、図１０（ａ）（ｂ）で示すように、蓋の一部２４と本体２２を例えば本体下方からねじ込んで接続させるねじ込み式とすることができる。
【００７５】
これによれば、落下などによっても、側面に設けられた電池収納部を閉じるための蓋が外れるのを防ぐことができる。
【００７６】
なお、本明細書で開示する発明は、いずれも、発光部を含めた全体の形状がペン状やステッィク状（棒状）のものに限らない。すなわち、上記したいずれの発明においても、装飾を施したり、発光部をハート形や星形にしたりするなど、様々な形状とすることができ、このようなものも本発明における「ペンライト」に含まれる。
【００７７】
また、本明細書では高出力・高輝度ペンライトの一例として電流が６００ｍＡ程度のものを挙げ、この程度の電流量で高輝度を得るペンライトをも実用化し得ることを示したが、本発明が特定の電流量等のペンライトに限ることなく適用し得るのは自明である。
【産業上の利用可能性】
【００７８】
本発明によれば、別途ファン等を取り付けることなく、ペンライト使用時に発生する空気の流れにより、発光体の周辺の熱を効率よく放散することができる。そのため、放熱の必要があるペンライトにおいても構造を複雑にすることなく、コストも抑えて放熱を実現することができる。特に今後要請が高まることが予想される明るさを向上させた高出力・高輝度のペンライトにおいては、そのニーズに応えるためには、放熱により使用者の安全を確保することが必須である。しかし、そのための構造は複雑かつコストもかかることが予想され、結局安全性の確保を図れず、高出力・高輝度のペンライトのニーズに応えられないおそれがあるところ、本発明はかかる問題に対処できるものである。このように、本発明は、放熱の必要のあるペンライトを使用する者の安全性を図ることができるため、その供給を促進でき、その結果、需要に応えることができる。従って、本発明の産業上の利用可能性は極めて高い。
【符号の説明】
【００７９】
１、１１、２１  ペンライトの把持部
２、２２  本体
３  発光体、ＬＥＤ
４  ヒートシンク
５  フィン
５０  突起
６、６０  空気流路
７、７ａ、７ｂ、７ｃ、７ｄ  通気孔
８  窪み、縦長楕円形部分
９  外側カバー
１０、１０ａ、１０ｂ、１０ｃ、１０ｄ  通気孔
１２  空間
１３  溝
１４  凸状境界
１５  補助部材
１６  空気流路
１７  孔
１８  フィン
１９  電池収納部
２０  電子回路基板（コンピュータ回路基板）
２３  蓋
２４  蓋の一部
２５  保持部
２６  発光部、カバー
２７  ペンライト
２８  平板
２９  補助部材
３０  空気流路
３１  孔
３２  フィン
３３  柱
３４  ヒートシンク
３５  基部の出っ張り部
３６  支持部
【要約】      （修正有）【課題】発光体周辺の熱を放散することのできるペンライトの把持部及びこれを用いたペンライトを提供する。【解決手段】本体２と、前記本体に設けられる発光体３と、前記本体の内部に前記発光体に近接して設置されるヒートシンク４とからなり、前記本体の前記ヒートシンクが設置される付近に、該ヒートシンクを介して向かい合った通気孔７ｃが設けられ、前記ヒートシンクは空気が該ヒートシンクを横断する空気流路を備え、空気が前記空気流路を経て前記向かい合った通気孔の間を双方向に流通するように前記ヒートシンクを配置したペンライトの把持部１及びこれを用いたペンライトである。【選択図】図１【図１】
0005384760.tif 000002
【図２】
0005384760.tif 000003
【図３】
0005384760.tif 000004
【図４】
0005384760.tif 000005
【図５】
0005384760.tif 000006
【図６】
0005384760.tif 000007
【図７】
0005384760.tif 000008
【図８】
0005384760.tif 000009
【図９】
0005384760.tif 000010
【図１０】
0005384760.tif 000011
【図１１】
0005384760.tif 000012
【図１２】
0005384760.tif 000013
【図１３】
0005384760.tif 000014
【図１４】
0005384760.tif 000015
【図１５】
0005384760.tif 000016
【図１６】
0005384760.tif 000017